(57)【要約】【課題】長さの異なる二本以上のコードを効果的に収納し、必要に応じてコードを適当に引き出すことができる同軸複数輪のコードリールを提供する。【解決手段】内部に収納されたばね３０に抗して回転を行う主回転輪体１０上に、それぞれ少なくとも三個以上の径の異なる回転輪１１、・・・を設ける。該回転輪は同一の中心孔１８により単一軸部２２において回転可能に枢着され、該回転輪の各輪面上にはそれぞれ径の異なる収納凹部を形成する。少なくとも二本以上のコードはそれぞれの収納凹部中において巻かれて収納され、該コードにおいて異なる収納凹部に収納されるコードは、概ね上、中、下線に区分される。バネの底端は軸部に連結し、外端は該Ａ回転輪の内凹輪面上に連結する。【選択図】図１
0003097467.tif 000002
【実用新案登録請求の範囲】
【請求項１】
主に主回転輪体上に、それぞれ少なくとも三個以上のＡ、Ｂ、Ｃ回転輪を形成し、該Ａ、Ｂ、Ｃ回転輪は同一の中心孔を具え、該中心孔により単一軸部において回転可能に枢着され、
該Ａ、Ｂ、Ｃ回転輪の輪面上にはそれぞれＡ、Ｂ、Ｃ収納凹部を形成し、
少なくとも二本以上のコードは該Ａ、Ｂ、Ｃ収納凹部中において巻かれて収納され、該コードにおいて異なる収納凹部に収納されるコードは、概ね上、中、下線に区分され、
巻き取りバネの底端は軸部に連結し、外端は該Ａ回転輪の内凹輪面上に連結したことを特徴とする同軸複数輪のコードリール。
【請求項２】
前記軸部の一端は右ケース体の内壁面に結合し、反対端は左ケース体の接続孔中に結合し、該左、右ケース体の上、下縁辺にはそれぞれ挿入ピン、及び挿入孔を設けて、該挿入ピンは該挿入孔中に挿入、結合され、該左、右ケース体は相互に結合して一体を成し、
該左、右ケース体の上、下端にはそれぞれ複数の導線孔を設け、前記上、中、下線の引き出しに用いることを特徴とする請求項１記載の同軸複数輪のコードリール。
【請求項３】
前記Ａ、Ｂ、Ｃ収納凹部間にはそれぞれＡ、Ｂ隔絶片を設置し、該Ａ、Ｂ隔絶片上にはそれぞれＡ、Ｂ係合溝を設置し、さらに前記上、中線間の適当な位置は、該Ｂ隔絶片上のＢ係合溝中に係合し、さらに前記上線の適当な部分は該Ａ隔絶片上のＡ係合溝中に係合し、前記上線及び前記中線の一端は二本の導線孔外に引き出し、前記下線は前記上、中線が併合して形成され、その下端は前記導線孔外に引き出され、滑り止めカバーは前記導線孔中に嵌接し前記下線を固定し、これにより前記下線は固定端を形成することを特徴とする請求項１記載の同軸複数輪のコードリール。
【請求項４】
前記接続孔にはネジが穿通され、該ネジは前記軸部前端のネジ孔中に螺接することを特徴とする請求項１、或いは２記載の同軸複数輪のコードリール。
【請求項５】
前記Ａ、Ｂ、Ｃ回転輪の直径は同一、及び異なる長さに設計することができることを特徴とする請求項１記載の同軸複数輪のコードリール。
【請求項６】
前記軸部は前記主回転輪と一体成型とすることができ、前記軸部の二軸端は前記左、右ケース体内壁面に予め設置する円形凹孔中に可動挿入されることを特徴とする請求項１、或いは３、或いは５記載の同軸複数輪のコードリール。
【考案の詳細な説明】
【０００１】
【考案の属する技術分野】
本考案は一種の同軸複数輪からなるコードリールに関する。特に二本以上のコードを効果的に収納し、引き出すことができる同軸複数輪のコードリールに係る。
【０００２】
【従来の技術】
公知のコードリールの典型的な例は、日本実用新案登録第３０８６６１６号「イヤホーン収納器」に提案されている。
該構造は実用的ではあるが、単一のコードの収納にのみ使用可能で、二本のコードの収納には使用できない。イヤホーンのコードは左右の耳用に二本がセットとなった設計であるため、左耳に使用するコードの長さが長ければ、右耳に使用するコードの長さは短くなってしまう。このため、二本の異なる長さのコードを収納する時には、長い方のコードはすべてを収納することができなくなってしまい、コードの一部は外部に露出する。特に、長い方のコードが引き出された時には、外に出ている長い方のコードは人体上に位置することとなる。
よって、いかにして二本の異なる長さのコードを効果的に収納、及び引き出すかは非常に重要な問題である。
【０００３】
【考案が解決しようとする課題】
上記公知構造の欠点を解決するため、本考案は同軸複数輪のコードリールの提供を課題とする。
それは、二本以上のコードを収納可能である。
さらにそれは、二本以上のコードが効果的に収納され、引き出す時には、必要に応じて適当な長さを引き出すことができる。
またそれは、イヤホーン、電器製品等のコードの収納、引き出しに用いることができる。
【０００４】
【課題を解決するための手段】
上記課題を解決するため、本考案は下記の同軸複数輪のコードリールを提供する。
それは主に、弾力回転を行う主回転輪体上に、それぞれ少なくとも三個以上のＡ、Ｂ、Ｃ回転輪を形成する。
該Ａ、Ｂ、Ｃ回転輪は同一の中心孔を具え、該中心孔により単一軸部において可動接続し、該Ａ、Ｂ、Ｃ回転輪の輪面上にはそれぞれＡ、Ｂ、Ｃ収納凹部を形成する。少なくとも二本以上のコードは該Ａ、Ｂ、Ｃ収納凹部中において巻かれ収納され、該コードにおいて異なる収納凹部に収納されるコードは、概ね上、中、下線に区分される。
バネの底端は軸部に連結し、外端は該Ａ回転輪の内凹輪面上に連結する。
【０００５】
【考案の実施の形態】
図１、２が示すように、本考案は主回転輪体１０上に、それぞれ少なくとも三個以上のＡ、Ｂ、Ｃ回転輪１１、１２、１４（図２）を形成する。該Ａ、Ｂ、Ｃ回転輪１１、１２、１４は同一の中心孔１８を具え、該中心孔１８により単一軸部２２に回転可能に挿通する。
該Ａ、Ｂ、Ｃ回転輪１１、１２、１４の輪面上にはそれぞれＡ、Ｂ、Ｃ収納凹部１５、１７、１９を形成する。
少なくとも二本以上のコードＳは該Ａ、Ｂ、Ｃ収納凹部１５、１７、１９中において巻かれ収納される。該コードＳにおいて異なる収納凹部に収納されるコードＳは、概ね上、中、下線Ｓ１、Ｓ２、Ｓ３に区分される。
バネ３０の底端３１は軸部２２に連結し、外端３２は該Ａ回転輪１１の内凹輪面１１１上に連結する。
【０００６】
該軸部２２の一端は右ケース体４０の内壁面に結合し、反対端は左ケース体４２の接続孔４２３中に結合する。該左、右ケース体４０、４２の上、下縁辺にはそれぞれ挿入ピン４０１、４２１、及び挿入孔４０２、４２２を設置する。該挿入ピン４０１、４２１は該挿入孔４０２、４２２中に挿入結合され、該左、右ケース体４０、４２は相互に結合し一体を成す。
該左、右ケース体４０、４２の上、下端にはそれぞれ複数の導線孔４３、４４、４５を形成し、該上、中、下線Ｓ１、Ｓ２、Ｓ３の引き出しに用いる。
【０００７】
該Ａ、Ｂ、Ｃ収納凹部１５、１７、１９間にはそれぞれＡ、Ｂ隔絶片１３、１６を設置し、該Ａ、Ｂ隔絶片１３、１６上にはそれぞれＡ、Ｂ係合溝１３１、１６１を設置する。さらに該上、中線Ｓ１、Ｓ２間の適当な位置は、該Ｂ隔絶片１６上のＢ係合溝１６１中に係合し、さらに該上線Ｓ１の適当な部分は該Ａ隔絶片１３上のＡ係合溝１３１中に係合する。該上線Ｓ１及び該中線Ｓ２の一端は二本の導線孔４３、４４より外に引き出される。該下線Ｓ３は該上、中線Ｓ１、Ｓ２が併合して形成され、その下端は該導線孔４５外に引き出される。滑り止めカバー４６は該導線孔４５中に嵌接して該下線Ｓ３を固定し、これにより該下線Ｓ３は固定端を形成する。
【０００８】
次に図２、３が示すように、該Ａ、Ｂ、Ｃ回転輪１１、１２、１４は連結体である。しかも、同一の中心孔１８により、該軸部２２に回転可能に枢着される。そのため、該Ａ回転輪１１が一回転すると、該Ｂ、Ｃ回転輪１２、１４もまた一回転する。該Ａ回転輪１１が一回転すると、該Ａ収納凹部１５中より引き出される（或いは収納される）該上線Ｓ１の長さはπ×Ｄ１（Ｄ１はＡ回転輪１１の直径）となり、同じ原理で、該Ｂ、Ｃ回転輪１２、１４が一回転すると、該Ｂ、Ｃ収納凹部１７、１９より引き出される（或いは収納される）該中、下線Ｓ２、Ｓ３の長さはπ×Ｄ２、π×Ｄ３（Ｄ２、Ｄ３はＢ、Ｃ回転輪１２、１４の直径）となる。よって、該Ａ、Ｂ、Ｃ回転輪１１、１２、１４が同軸で回転する時、該Ａ、Ｂ、Ｃ回転輪１１、１２、１４の巻き取るコード（或いは引き出すコード）の長さは該Ａ、Ｂ、Ｃ回転輪１１、１２、１４の直径（即ち、Ｄ１：Ｄ２：Ｄ３）に比例する。また、該Ａ回転輪１１が一回転することにより引き出される（或いは収納される）該上Ｓ１の長さは、該Ｂ回転輪１２が一回転することにより引き出される（或いは収納される）該中線Ｓ２の長さより長い。該Ｃ回転輪１４の直径Ｄ３は小さく設計されるため、該Ｃ回転輪１４が一回転することにより引き出される（或いは収納される）該下線Ｓ３の長さは最も短い。
【０００９】
続いて図３が示すように、二個のイヤホーン５０（或いは他の端子コネクタ）が同時に引き出された時、該主回転輪体１０は該軸部２２を中心とし回転する。すると、該バネ３０は引かれ収縮状態を呈する。該Ａ、Ｂ、Ｃ回転輪１１、１２、１４の直径は異なるため、該Ａ収納凹部１５中の上線Ｓ１は長めに引き出され、該Ｂ収納凹部１７中の中線Ｓ２は短めに引き出される。さらに、該下線Ｓ３から同時に引き出されるコードは最も短くなる。
仮に、該上線Ｓ１の引き出された長さが５０ｃｍとするなら、該中線Ｓ２の引き出される長さは４０ｃｍ、該下線Ｓ３はわずか５ｃｍとなる。このように、該上線Ｓ１が引き出される長さが最も長いために、図５が示すように、該上線Ｓ１は人の頚部の頚後部８０を越えて行くことができるのである。これによって、該イヤホーン５０は左耳８２に入り、該中線Ｓ２は頚後部８０を越えて行く必要がないため、必要な長さは該上線Ｓ１に比べ短いのである。該中線Ｓ２は引き出された後、もう一方のイヤホーン５０は右耳８４に入り使用される。
該下線Ｓ３は該上、中線Ｓ１、Ｓ２の併合コードであるため、該Ｃ収納凹部１９中に収納されるが、該Ｃ回転輪１４の直径は最も小さい設計であるため、該上、中線Ｓ１、Ｓ２が引き出された時、該下線Ｓ３は該Ｃ収納凹部１９よりごく短いコードが引き出される。この時、該滑り止めカバー４６は該下線Ｓ３の適当な部分を押さえるため固定端を形成し、引き出された該下線Ｓ３は該Ｃ収納凹部１９において緩んだ状態を呈する。図３が示すように、その目的は端子ジャック６０の上下滑動の防止である。
こうして本考案を用いることにより、人のウエストに付けた該端子ジャック６０と携帯電話端末或いはプレーヤー等の電器製品６４は挿入接続され、使用者は便利に音を聞くことができる。
【００１０】
該上、中、下線Ｓ１、Ｓ２、Ｓ３の収納の様子は、該イヤホーン５０を使用せず、定位する力が消失する時、該バネ３０の収縮力は該主回転輪体１０を該軸部２２を中心として反対方向に回転させる。該上、中、下線Ｓ１、Ｓ２、Ｓ３はそれぞれ該Ａ、Ｂ、Ｃ収納凹部１５、１７、１９中において巻き取られ、該イヤホーン５０（或いは端子コネクタ）は該導線孔４３、２２の孔外端に定位される。
一方、緩んだ状態を呈する下線Ｓ３は該Ｃ回転輪１４の反対への回転により、該下線Ｓ３は該Ｃ収納層９中において緊密に巻き取られる。この時、該下線Ｓ３の下の部分は該滑り止めカバー４６により定位され、該端子ジャック６０は移動しない。
【００１１】
続いて図６が示すように、本考案主回転輪体１０は四個の異なる直径のＡ、Ｂ、Ｃ、Ｄ回転輪１１’、１２’１４’、１４１に設計することができる。該Ａ、Ｂ、Ｃ、Ｄ回転輪１１’、１２’１４’、１４１はそれぞれＡ、Ｂ、Ｃ、Ｄ収納凹部１５’、１７’１９’、１９１を具え、それぞれＡ、Ｂ、Ｃ、Ｄ線Ｓ１、Ｓ２、Ｓ３、Ｓ４を収納する。
該Ｄ線Ｓ４は該Ａ、Ｂ、Ｃ線Ｓ１’、Ｓ２’、Ｓ３’を併合し構成する。即ち、該Ｄ線Ｓ４は併合して形成するコードで、延長して分離し、該Ａ、Ｂ、Ｃ収納凹部１５’、１７’１９’にそれぞれ入る。該Ａ、Ｂ、Ｃ、Ｄ線Ｓ１’、Ｓ２’、Ｓ３’、Ｓ４の両端部は等しく端子コネクタ６６、６７に接続する。
図７が示すように、複数の電器製品７０は異なる距離の位置に置かれ、該Ｄ線Ｓ４の複数の端子コネクタ６７は電器製品のプラグ７２中に挿入される。該Ａ、Ｂ、Ｃ線Ｓ１’、Ｓ２’、Ｓ３’は引き出される時、該Ａ、Ｂ、Ｃ、Ｄ回転輪１１’、１２’１４’、１４１はそれぞれ異なる直径を呈するため、該Ａ線Ｓ１’は短く、該Ｃ線Ｓ３’が引き出される長さは該Ｂ線Ｓ２’より短い。該Ｄ線Ｓ４は該Ｄ収納凹部１９１中において緩んだ状態であるため、該滑り止めカバー４６の作用により、該端子ジャック６７は移動しない。
このため、複数の端子コネクタ６６はそれぞれ異なる位置にある電器製品７０に挿入、接続可能で、該プラグ７４より電気の供給を受けることができる。
さらに本考案では、複数のコードは各異なる位置にある電器製品７０に挿入、接続可能で、その時にもコードが絡まったりする現象は発生しない。該線Ｓを使用しない時には、そのコード収納速度は一層敏捷となる。
【００１２】
図８が示すように、該軸部２２は該主回転輪体１０と一体設計とすることもできる。これにより、軸端２２２，２２３は該左、右ケース体４０、４２内壁面に設置する円形凹槽４０３、４２４中に可動挿入され、こうして、該軸部２２は該円形凹槽４０３、４２４中において、自由に回転が可能となる。
図９が示すＡ、Ｂ、Ｃ、Ｄ回転輪１１’、１２’、１４’、１４１は同等の直径とすることができ、これにより、Ａ、Ｂ、Ｃ、Ｄ収納凹部１５’、１７’、１９’、１９１は同一の長さのＡ、Ｂ、Ｃ、Ｄ線Ｓ１’、Ｓ２’、Ｓ３’、Ｓ４を収納することができる。この実施例では、該Ａ、Ｂ、Ｃ、Ｄ線Ｓ１’、Ｓ２’、Ｓ３’、Ｓ４の引き出される長さはすべて同一である。
【００１３】
【考案の効果】
上記のように、本考案は二本以上のコードを収納可能で、さらに二本以上のコードは効果的に収納され、引き出す時には、必要に応じて適当な長さを引き出すことができる。また、イヤホーン、電器製品等のコードの収納、引き出しに用いることができる。
【図面の簡単な説明】
【図１】本考案の立体分解図である。
【図２】本考案の断面図である。
【図３】本考案においてコードが引き出される様子を示す断面動作図である。
【図４】本考案においてコードが異なる外周のコード収納輪において移動する様子を示す側面指示図である。
【図５】本考案をイヤホーンに実施する場合の実施例立体図である。
【図６】本考案別種の実施例の断面図である。
【図７】本考案においてそれぞれジャックを具えた複数のコードを電器製品に接続する実施例の平面図である。
【図８】本考案において主回転輪体と軸部が相互に固定接続される様子を示す別種の実施例の断面図である。
【図９】本考案主回転輪体上のＡ、Ｂ、Ｃ、Ｄ回転輪を同一直径に設置する様子を示す断面指示図である。
【符号の説明】
１０　主回転輪体
１１　Ａ回転輪
１１’　Ａ回転輪
１１１　内凹輪面
１２　Ｂ回転輪
１２’　Ｂ回転輪
１３　隔絶片
１３１　Ａ係合溝
１４　Ｃ回転輪
１４’　Ｃ回転輪
１４１　Ｄ回転輪
１５　Ａ収納凹部
１５’　Ａ収納凹部
１６　Ｂ隔絶片
１８　中心孔
１６１　Ｂ係合溝
１７　Ｂ収納凹部
１７’　Ｂ収納凹部
１９　Ｃ収納凹部
１９’　Ｃ収納凹部
１９１　収納凹部
２２　軸部
２２２　軸端
２２３　軸端
２２１　ネジ孔
３０　バネ
３１　底端
３２　外端
４０　右ケース体
４０１　挿入ピン
４２１　挿入ピン
４０２　挿入孔
４２２　挿入孔
４０３　円形凹槽
４２４　円形凹槽
４２　左ケース体
４２３　接続孔
４３　導線孔
４４　導線孔
４５　導線孔
４６　滑り止めカバー
５０　イヤホーン
６０　端子ジャック
６５　ネジ
６６　端子コネクタ
６７　端子コネクタ
７０　電器製品
６４　電器製品
７２　プラグ
７４　プラグ
８０　頚後部
８２　左耳
８４　右耳
Ｄ１　直径
Ｄ２　直径
Ｄ３　直径
Ｓ　コード
Ｓ１　上線
Ｓ２　中線
Ｓ３　下線
Ｓ１’　Ａ線
Ｓ２’　Ｂ線
Ｓ３’　Ｃ線
Ｓ４’　Ｄ線
【図１】
0003097467.tif 000003
【図２】
0003097467.tif 000004
【図３】
0003097467.tif 000005
【図４】
0003097467.tif 000006
【図５】
0003097467.tif 000007
【図６】
0003097467.tif 000008
【図７】
0003097467.tif 000009
【図８】
0003097467.tif 000010
【図９】
0003097467.tif 000011